(57)【要約】【課題】  光ディスク再生装置に使用される、ＤＶＤ−ＲＡＭ再生信号インライン化回路において、回路の合理化とコストダウンを図ることを目的とする。【解決手段】  光ディスクより再生されたＲＦ信号が入力される入力アンプ１と、前記入力アンプ１の出力が入力されるハイパスフィルタ１０と、前記ハイパスフィルタ１０の出力が入力されるＡＤコンバータ５と、前記ＡＤコンバータ５の出力が入力されるラグリードフィルタ６と、前記ラグリードフィルタ６の出力をデジタル的に処理して２値化信号として復調する復調器７とを備えた構成とした。これにより、ＤＶＤ−ＲＡＭ再生機能を低コストで実現する光ディスク再生装置を実現することができる。【選択図】      図１（ａ）
2005158241.tif 000002
【特許請求の範囲】
【請求項１】
情報記録媒体に形成されたトラックのアドレス領域より再生されたＲＦ信号の直流オフセットと、該トラックのデータ領域より再生されたＲＦ信号の直流オフセットとの差異を解消する回路であって、
前記情報記録媒体より再生されたＲＦ信号が入力されるハイパスフィルタと、
該ハイパスフィルタの出力が入力されるＡＤコンバータと、
該ＡＤコンバータの出力が入力されるラグリードフィルタと、を備えた、
ことを特徴とする情報再生装置のインライン回路。
【請求項２】
請求項１記載の情報再生装置のインライン回路において、
前記情報記録媒体はＤＶＤ−ＲＡＭディスクであり、
前記ハイパスフィルタは、該ＤＶＤ−ＲＡＭディスクの再生信号におけるアドレス領域の継続時間に対して十分短い時定数を持つ、
ことを特徴とする情報再生装置のインライン回路。
【請求項３】
請求項２記載の情報再生装置のインライン回路において、
前記ハイパスフィルタの時定数は、前記ＤＶＤ−ＲＡＭディスクの再生信号におけるアドレス領域の継続時間の１０％以下である、
ことを特徴とする情報再生装置のインライン回路。
【請求項４】
請求項１記載の情報再生装置のインライン回路において、
前記ハイパスフィルタは、抵抗およびコンデンサからなり、
該コンデンサは集積回路に内蔵可能な容量値を有する、
ことを特徴とする情報再生装置のインライン回路。
【請求項５】
請求項１記載の情報再生装置のインライン回路において、
前記ラグリードフィルタは、そのゲインの周波数特性が第１のコーナー周波数において低域側平坦特性から１次積分特性に変化し、第２のコーナー周波数において前記１次積分特性から高域側平坦特性に変化するものであり、
該第１のコーナー周波数は、低域復元後の信号の群遅延特性がデータ再生に影響を与えないような周波数であり、
該第２のコーナー周波数は、前記ハイパスフィルタのゲインの周波数特性が１次微分特性から平坦特性に変化するカットオフ周波数にほぼ等しい周波数である、
ことを特徴とする情報再生装置のインライン回路。
【請求項６】
請求項１記載の情報再生装置のインライン回路において、
前記ハイパスフィルタの１次微分特性におけるゲインの周波数特性の傾きの絶対値と、前記ラグリードフィルタの１次積分特性におけるゲインの周波数特性の傾きの絶対値とがほぼ一致する、
ことを特徴とする情報再生装置のインライン回路。
【請求項７】
請求項１記載の情報再生装置のインライン回路において、
前記ハイパスフィルタの時定数は、前記ラグリードフィルタのゲインの周波数特性が低域側平坦特性から１次積分特性に変化する周波数である第１のコーナー周波数における前記ＲＦ信号の周波数成分が、前記ＡＤコンバータの１ＬＳＢ(Least Significant Bit)以上の振幅となるように設定される、
ことを特徴とする情報再生装置のインライン回路。
【請求項８】
請求項１記載の情報再生装置のインライン回路において、
前記光ディスクはＤＶＤ−ＲＡＭディスクであり、
前記ハイパスフィルタと、前記ラグリードフィルタの周波数特性は、該ＤＶＤ−ＲＡＭディスクの再生線速度に応じて変更される、
ことを特徴とする情報再生装置のインライン回路。
【請求項９】
請求項１記載の情報再生装置のインライン回路において、
前記光ディスクはＤＶＤ−ＲＡＭディスクであり、
前記ＡＤコンバータは、そのサンプリング周波数が２ｆｍａｘ以上に設定される、
ことを特徴とする情報再生装置のインライン回路。
但し、ｆｍａｘ＝（１／Ｔ）×（Ｎ／６）であり、
Ｔ＝１／（２９Ｍｂｐｓ）（２９ＭｂｐｓはＤＶＤ−ＲＡＭのチャネルビットレート）、
ＮはＤＶＤ−ＲＡＭの再生倍速（Ｎは“１”以上の正数）である。
【請求項１０】
情報記録媒体より再生されたＲＦ信号が入力されるハイパスフィルタと、
該ハイパスフィルタの出力が入力されるＡＤコンバータと、
該ＡＤコンバータの出力が入力されるラグリードフィルタと、
該ラグリードフィルタの出力が入力される復調器と、を備え、
該復調器は、前記ラグリードフィルタによって低域成分が復元されたＲＦ信号の、ＤＣレベル変動を検出して、該ＲＦ信号におけるアドレス領域を検出する、
ことを特徴とする情報再生装置。
【請求項１１】
請求項１０記載の情報再生装置において、
前記ハイパスフィルタ，前記ＡＤコンバータ，前記ラグリードフィルタ，前記復調器は、同一の集積回路に内蔵される、
ことを特徴とする情報再生装置。
【請求項１２】
情報記録媒体に形成されたトラックのアドレス領域より再生されたＲＦ信号の直流オフセットと、該トラックのデータ領域より再生されたＲＦ信号の直流オフセットとの差異を解消するインライン回路の実装方法であって、
前記ＲＦ信号をアナログ信号のままでろ波を行うハイパスフィルタの周波数特性が１次微分特性から平坦特性に変化する周波数であるカットオフ周波数を、インライン回路の目標とするカットオフ周波数より高い周波数に設定し、
かつ前記ハイパスフィルタの出力信号をＡＤコンバータによりデジタル信号に変換した後の信号に対しろ波を行うラグリードフィルタの周波数特性における１次積分特性により前記ハイパスフィルタの１次微分特性をほぼ相殺し、該ハイパスフィルタとラグリードフィルタとの総合的な特性におけるカットオフ周波数を前記目標とするカットオフ周波数にほぼ一致するように設定することで、
前記ハイパスフィルタの時定数を低減し、該ハイパスフィルタを集積回路に内蔵可能とした、
ことを特徴とする情報再生装置のインライン回路の実装方法。
【請求項１３】
情報記録媒体に形成されたトラックのアドレス領域より再生されたＲＦ信号の直流オフセットと、該トラックのデータ領域より再生されたＲＦ信号の直流オフセットとの差異を解消するインライン回路の実装方法であって、
前記ＲＦ信号をアナログ信号のままでろ波を行うハイパスフィルタの周波数特性が１次微分特性から平坦特性に変化する周波数であるカットオフ周波数を、インライン回路の目標とするカットオフ周波数より高い周波数に設定し、
かつ前記ハイパスフィルタの出力信号をＡＤコンバータによりデジタル信号に変換した後の信号に対しろ波を行うラグリードフィルタの周波数特性が低域側の平坦特性から１次積分特性に変化する周波数である第１のコーナー周波数を、前記目標とするカットオフ周波数にほぼ一致するように設定し、
かつ前記ラグリードフィルタの周波数特性が前記１次積分特性から高域側の平坦特性に変化する周波数である第２のコーナー周波数を前記ハイパスフィルタのカットオフ周波数とほぼ一致するように設定し、
かつ前記ラグリードフィルタの１次積分特性による利得減少の傾きと前記ハイパスフィルタの１次微分特性による利得増加の傾きとをほぼ同じ値とすることで該１次積分特性と１次微分特性とをほぼ相殺する周波数特性となるように設定し、
かつ前記ＡＤコンバータのサンプリング周波数を２ｆｍａｘ以上に設定し、
かつ前記第１のコーナー周波数における前記ＲＦ信号の周波数成分が、前記ＡＤコンバータの１ＬＳＢ(Least Significant Bit)以上の振幅となるように前記ハイパスフィルタの時定数を設定することで、
前記ハイパスフィルタの時定数を低減し、該ハイパスフィルタを集積回路に内蔵可能とした、
ことを特徴とする情報再生装置のインライン回路の実装方法。
但し、ｆｍａｘ＝（１／Ｔ）×（Ｎ／６）であり、
Ｔ＝１／（２９Ｍｂｐｓ）（２９ＭｂｐｓはＤＶＤ−ＲＡＭのチャネルビットレート）、
ＮはＤＶＤ−ＲＡＭの再生倍速（Ｎは“１”以上の正数）である。
【発明の詳細な説明】
【技術分野】
【０００１】
本発明は、情報再生装置としての光ディスク再生装置に関するものであり、特に光ディスクに形成されたトラックから光ピックアップにより再生された光再生信号に対し、アドレス領域（以下、ＩＤ領域と称す）とデータ領域とにおける光再生信号のＤＣレベルの差異を解消するインライン回路およびその実装方法の改良を図ったものに関する。
【背景技術】
【０００２】
従来、情報記録媒体としてのＤＶＤ−ＲＡＭディスクを再生する光ディスク再生装置のインライン回路として、例えば特許文献１に記載されたものが知られている。
【０００３】
図８はこの種のインライン回路が用いられる光ディスク再生装置の全体構成を示すものであり、図８に示すように、インライン回路４００は、情報記録媒体としてのＤＶＤ−ＲＡＭディスク２００に形成されたトラックの情報を再生する光ピックアップ３００と、再生信号の処理を行う信号処理回路５００との間に設けられている。また、システムコントローラ６００は信号処理回路５００を制御するほか、ＤＶＤ−ＲＡＭディスク２００を回転するスピンドルモータ（図示せず）の回転数制御や光ピックアップ３００のトラッキング制御等、この光ディスク再生装置全体の制御を行う。
【０００４】
図９は従来の光ディスク再生装置におけるインライン回路４００のより詳細な構成を示しており、図において、５１は図８における光ピックアップ３００からの光再生信号であるＲＦ信号を増幅する入力アンプ、５２および５３は入力アンプ５１で増幅された光再生信号の直流レベル補正を行うための外付けコンデンサ、５４および５５はＩＤ領域判別信号６２に応じて前記コンデンサ５２および５３のいずれか一方を選択するためのスイッチ、５６および５７は抵抗であり、前記コンデンサ５２および５３との組み合わせで直流レベル補正の時定数を決定する。また、５８は引込信号６３に応じて光再生信号のＤＣレベルの変動を急速に補正するためのスイッチ、５９は直流補正後の光再生信号を増幅するバッファアンプ、６０はバッファアンプ５９の出力信号に対しＡＤ変換を行うＡＤコンバータ、６１はＡＤコンバータ６０の出力信号の２値化を行い、その結果を図８の信号処理回路５００に出力するコンパレータとしてのスライサーである。また、６２は前記スイッチ５４および５５のいずれか一方をオンするＩＤ領域判別信号、６３はスイッチ５８をオン／オフする引込信号である。そして、ＡＤコンバータ６０の前段までの各回路、即ち、入力アンプ５１、外付けコンデンサ５２，５３、スイッチ５４，５５、抵抗５６，５７、スイッチ５８およびバッファアンプ５９により、インライン回路４００が構成されている。
【０００５】
このインライン回路４００において、抵抗５７はコンデンサ５２，５３のいずれか一方との組合わせでハイパスフィルタを構成しており、このハイパスフィルタは、光再生信号中のＤＣ成分を、ＲＦ信号の群遅延特性に影響を与えずに除去する。通常、そのカットオフ周波数は１００Ｈｚ程度に設定される。抵抗５６はこのハイパスフィルタの時定数を短縮する目的で、即ち、ＤＣ成分を除去する際に波形の収束を速める目的で、スイッチ５８によって抵抗５７に対し並列に挿入される。
【０００６】
図１０は図９のインライン回路の動作波形を示している。図１０（ａ）は前記入力アンプ５１の入力信号である、光ピックアップ３００のトラックを再生した光再生信号を示しており、図中、ＤＣレベルが高くなった領域がＩＤ領域を、その他の領域がデータ領域を、それぞれ再生している際の信号を示している。図１０（ｂ）はＩＤ領域判別信号６２であり、トラックにおけるＩＤ領域に該当する箇所を再生した時に“Ｈ”となって前記スイッチ５４をオン，スイッチ５５をオフにし、その他の時はその逆、即ち、前記スイッチ５５をオンにし前記スイッチ５４をオフにする。図１０（ｃ）は引込信号であり、再生領域の切替り時点、即ちデータ領域とＩＤ領域とが切替わる時点から一定期間“Ｈ”となって前記スイッチ５８をオンにする。図１０（ｄ）はＡＤコンバータ６０の入力信号である。
【０００７】
図１１はＤＶＤ−ＲＡＭディスクのＩＤ部分の構造を示した図であり、１００は案内溝であるグルーブおよびグルーブに挟まれた領域であるランドに記録されたマーク、１０１はＩＤ領域に形成されているエンボスマークである。
【０００８】
図１１に示すように、トラックにおけるデータ領域はランド・グルーブ構造であるので、マーク１００のない部分でも最大反射率にならないのに対して、ＩＤ領域はエンボス構造となっているために、エンボスマーク１０１のない部分では鏡面反射率となる。このため、図１０（ａ）に示すように、データ領域とＩＤ領域との再生信号のＤＣレベルは大きく異なっている。
【０００９】
ところで、ＡＤコンバータ６０の入力レンジは図１０（ａ）に示すように再生信号のＲＦ成分の振幅に合わせて設定されており、前記ＤＣレベル変動を含んだ振幅よりも小さいため、ＤＣレベル変動を抑圧してＡＤ変換を行う必要がある。
【００１０】
このため、図９に示すように、結合コンデンサとして、データ領域用のコンデンサ５２とＩＤ領域用のコンデンサ５３とを併用し、ＩＤ領域判別信号６２によってスイッチ５４，５５を制御してその切換を行うことで、図１０（ｄ）に示すようにＤＣレベルを一定に揃えた信号を生成している。
【００１１】
そして、データ領域、ＩＤ領域の直流電圧の充電を速やかに行うために、コンデンサ５２及び５３に対する抵抗５６がスイッチ５８によって抵抗５７に並列に挿入されて、時定数を短縮し、ＩＤ領域の開始時点および終了時点での再生信号の収束を早めている。
【００１２】
このように、従来の光ディスク再生装置のインライン回路では、光ディスクに形成されたトラックを再生している際に、その再生している領域がＩＤ領域とデータ領域とのいずれに該当するかで、結合コンデンサ５２と５３とを切換える必要があり、この切換えを行うために、インライン回路とは別に、ＩＤ領域判別信号を生成する回路が必要となる。
【００１３】
図１２は、上記ＩＤ領域判別信号を生成するための回路のブロック図であり、図１３にその動作波形を記載している。
【００１４】
図において、８０は図８の光ピックアップ３００の受光素子であり、光ディスクのトラック方向に対して、図示のように４分割されている。８１，８２は加算器、８３は減算器であり、加算器８１および８２はトラック左右方向の受光素子Ａ，Ｄの和出力およびＢ，Ｃの和出力をそれぞれ演算し、減算器８３は加算器８１の出力信号より加算器８２の出力信号を減算して、差動ＲＦ信号を生成している。８４は差動ＲＦ信号を増幅するバッファアンプである。８５，８６はハイパスフィルタを構成する抵抗とコンデンサであり、バッファアンプ８４から出力された差動ＲＦ信号中の直流成分を除去して、後段の閾値による処理を補助している。８７はハイパスフィルタの出力を増幅するバッファアンプである。９０，９１はコンパレータであり、バッファアンプ８７から出力された差動ＲＦ信号と上側(UPPER)閾値８８，下側(LOWER)閾値８９とをそれぞれ比較している。９２はコンパレータ９０，９１の出力信号の論理和を生成するＯＲ回路、９３はＯＲ回路９２の出力信号からＲＦ周波数を除去して連続した２値信号に波形整形する単安定マルチバイブレータ（以下、モノマルチ回路と称す）である。
【００１５】
また、図１３（ａ）はデータ領域およびＩＤ領域における上記差動ＲＦ信号と、上記上側閾値８８，下側閾値８９のレベルとを示している。図１３（ｂ）は上記上側コンパレータ９０の出力を、図１３（ｃ）は上記下側コンパレータ９１の出力を、図１３（ｄ）は上記モノマルチ回路９３の出力を、それぞれ示している。
【００１６】
図１１に示すように、ＤＶＤ−ＲＡＭディスクのＩＤ領域におけるエンボスマーク１０１は、ランドおよびグルーブで構成されるデータトラックの中心から１／２トラック分だけオフセットした位置に形成されているため、ＩＤ領域における差動ＲＦ信号は図１３（ａ）に示すように、データ領域のＲＦ信号に対して上，下にオフセットした信号となる。このオフセットを検出することでＩＤ領域の検出が可能となる。図１１の例では差動ＲＦ信号はＩＤ領域前半で上側に、後半で下側にそれぞれオフセットしているが、この逆の場合も存在する。なお、図９のインライン回路では図１０（ａ）に示すように、インライン回路の入力信号はＩＤ領域全域がデータ領域よりも上側にオフセットしたものとなっている。これは、インライン回路は差動ＲＦ信号ではなく光ピックアップの４つの受光素子の出力信号の総和を入力しているからである。
【００１７】
図１２のＩＤ領域判別信号生成回路において、コンパレータ９０，９１はこの図１３（ａ）に示す波形を上側閾値８８，下側閾値８９とそれぞれ比較することで、上，下のオフセットを検出する。このようにして検出したのが、図１３（ｂ），図１３（ｃ）に示す信号であり、これらを結合し、整形してＩＤ領域判別信号として生成された信号が図１３（ｄ）に示すものである。
【特許文献１】特開２００３−５１１１９号公報（第４頁  図３０，図３１）
【発明の開示】
【発明が解決しようとする課題】
【００１８】
ところで、近来、光ディスク再生装置においては、コストダウンが急速に進んでおり、それに対応して回路を合理化して行くことが急務となっている。
【００１９】
この中で、インライン回路は、その結合コンデンサをＬＳＩに内蔵することが困難であるため、当該コンデンサを外付け部品とする必要があり、その分、ＬＳＩの端子数が増加するとともに、インライン制御の実現のためにＩＤ領域判別信号等の専用のタイミング信号（切換信号）を生成する回路が別途必要となり、ＤＶＤ−ＲＡＭ再生のためのコストアップ要因となっていた。
【００２０】
この対策として、光ディスクの再生信号をＡＤ変換した後、１００Ｈｚをカットオフ周波数とするハイパスフィルタに入力することにより結合コンデンサを省略することも考えられるが、光ディスクの再生信号は前述のようにＤＣレベル変動を含むため入力ダイナミックレンジが大きく、これをＡＤ変換するＡＤコンバータは高性能なものを必要とする。このため、却ってコストアップの要因になるという問題があった。
【００２１】
本発明は、上述のような従来のものの問題を解決するためになされたもので、上記ＤＶＤ−ＲＡＭ再生に対応するインライン回路における２つの外付けコンデンサとその切換信号生成用の回路とを不要とし、低コストでＤＶＤ−ＲＡＭ再生に対応出来る情報再生装置、そのインライン回路、および情報再生装置のインライン回路の実装方法を提供することを目的とする。
【課題を解決するための手段】
【００２２】
この課題を解決するために、本発明の請求項１に係る情報再生装置のインライン回路は、情報記録媒体に形成されたトラックのアドレス領域より再生されたＲＦ信号の直流オフセットと、該トラックのデータ領域より再生されたＲＦ信号の直流オフセットとの差異を解消する回路であって、前記情報記録媒体より再生されたＲＦ信号が入力されるハイパスフィルタと、該ハイパスフィルタの出力が入力されるＡＤコンバータと、該ＡＤコンバータの出力が入力されるラグリードフィルタと、を備えた、ことを特徴とするものである。
【００２３】
また、本発明の請求項２に係る情報再生装置のインライン回路は、請求項１記載の情報再生装置のインライン回路において、前記情報記録媒体はＤＶＤ−ＲＡＭディスクであり、前記ハイパスフィルタは、該ＤＶＤ−ＲＡＭディスクの再生信号におけるアドレス領域の継続時間に対して十分短い時定数を持つ、ことを特徴とするものである。
【００２４】
また、本発明の請求項３に係る情報再生装置のインライン回路は、請求項２記載の情報再生装置のインライン回路において、前記ハイパスフィルタの時定数は、前記ＤＶＤ−ＲＡＭディスクの再生信号におけるアドレス領域の継続時間の１０％以下である、ことを特徴とするものである。
【００２５】
また、本発明の請求項４に係る情報再生装置のインライン回路は、請求項１記載の情報再生装置のインライン回路において、前記ハイパスフィルタは、抵抗およびコンデンサからなり、該コンデンサは集積回路に内蔵可能な容量値を有する、ことを特徴とするものである。
【００２６】
また、本発明の請求項５に係る情報再生装置のインライン回路は、請求項１記載の情報再生装置のインライン回路において、前記ラグリードフィルタは、そのゲインの周波数特性が第１のコーナー周波数において低域側平坦特性から１次積分特性に変化し、第２のコーナー周波数において前記１次積分特性から高域側平坦特性に変化するものであり、該第１のコーナー周波数は、低域復元後の信号の群遅延特性がデータ再生に影響を与えないような周波数であり、該第２のコーナー周波数は、前記ハイパスフィルタのゲインの周波数特性が１次微分特性から平坦特性に変化するカットオフ周波数にほぼ等しい周波数である、ことを特徴とするものである。
【００２７】
また、本発明の請求項６に係る情報再生装置のインライン回路は、請求項１記載の情報再生装置のインライン回路において、前記ハイパスフィルタの１次微分特性におけるゲインの周波数特性の傾きの絶対値と、前記ラグリードフィルタの１次積分特性におけるゲインの周波数特性の傾きの絶対値とがほぼ一致する、ことを特徴とするものである。
【００２８】
また、本発明の請求項７に係る情報再生装置のインライン回路は、請求項１記載の情報再生装置のインライン回路において、前記ハイパスフィルタの時定数は、前記ラグリードフィルタのゲインの周波数特性が低域側平坦特性から１次積分特性に変化する周波数である第１のコーナー周波数における前記ＲＦ信号の周波数成分が、前記ＡＤコンバータの１ＬＳＢ(Least Significant Bit)以上の振幅となるように設定される、ことを特徴とするものである。
【００２９】
また、本発明の請求項８に係る情報再生装置のインライン回路は、請求項１記載の情報再生装置のインライン回路において、前記光ディスクはＤＶＤ−ＲＡＭディスクであり、前記ハイパスフィルタと、前記ラグリードフィルタの周波数特性は、該ＤＶＤ−ＲＡＭディスクの再生線速度に応じて変更される、ことを特徴とするものである。
【００３０】
また、本発明の請求項９に係る情報再生装置は、請求項１記載の情報再生装置のインライン回路において、前記光ディスクはＤＶＤ−ＲＡＭディスクであり、前記ＡＤコンバータは、そのサンプリング周波数が２ｆｍａｘ以上に設定される、ことを特徴とするものである。但し、ｆｍａｘ＝（１／Ｔ）×（Ｎ／６）であり、Ｔ＝１／（２９Ｍｂｐｓ）（２９ＭｂｐｓはＤＶＤ−ＲＡＭのチャネルビットレート）、ＮはＤＶＤ−ＲＡＭの再生倍速（Ｎは“１”以上の正数）である。
【００３１】
また、本発明の請求項１０に係る情報再生装置は、情報記録媒体より再生されたＲＦ信号が入力されるハイパスフィルタと、該ハイパスフィルタの出力が入力されるＡＤコンバータと、該ＡＤコンバータの出力が入力されるラグリードフィルタと、該ラグリードフィルタの出力が入力される復調器と、を備え、該復調器は、前記ラグリードフィルタによって低域成分が復元されたＲＦ信号の、ＤＣレベル変動を検出して、該ＲＦ信号におけるアドレス領域を検出する、ことを特徴とするものである。
【００３２】
また、本発明の請求項１１に係る情報再生装置は、請求項１０記載の情報再生装置において、前記ハイパスフィルタ，前記ＡＤコンバータ，前記ラグリードフィルタ，前記復調器は、同一の集積回路に内蔵される、ことを特徴とするものである。
【００３３】
また、本発明の請求項１２に係る情報再生装置は、情報記録媒体に形成されたトラックのアドレス領域より再生されたＲＦ信号の直流オフセットと、該トラックのデータ領域より再生されたＲＦ信号の直流オフセットとの差異を解消するインライン回路の実装方法であって、前記ＲＦ信号をアナログ信号のままでろ波を行うハイパスフィルタの周波数特性が１次微分特性から平坦特性に変化する周波数であるカットオフ周波数を、インライン回路の目標とするカットオフ周波数より高い周波数に設定し、かつ前記ハイパスフィルタの出力信号をＡＤコンバータによりデジタル信号に変換した後の信号に対しろ波を行うラグリードフィルタの周波数特性における１次積分特性により前記ハイパスフィルタの１次微分特性をほぼ相殺し、該ハイパスフィルタとラグリードフィルタとの総合的な特性におけるカットオフ周波数を前記目標とするカットオフ周波数にほぼ一致するように設定することで、前記ハイパスフィルタの時定数を低減し、該ハイパスフィルタを集積回路に内蔵可能とした、ことを特徴とするものである。
【００３４】
また、本発明の請求項１３に係る情報再生装置のインライン回路の実装方法は、情報記録媒体に形成されたトラックのアドレス領域より再生されたＲＦ信号の直流オフセットと、該トラックのデータ領域より再生されたＲＦ信号の直流オフセットとの差異を解消するインライン回路の実装方法であって、前記ＲＦ信号をアナログ信号のままでろ波を行うハイパスフィルタの周波数特性が１次微分特性から平坦特性に変化する周波数であるカットオフ周波数を、インライン回路の目標とするカットオフ周波数より高い周波数に設定し、かつ前記ハイパスフィルタの出力信号をＡＤコンバータによりデジタル信号に変換した後の信号に対しろ波を行うラグリードフィルタの周波数特性が低域側の平坦特性から１次積分特性に変化する周波数である第１のコーナー周波数を、前記目標とするカットオフ周波数にほぼ一致するように設定し、かつ前記ラグリードフィルタの周波数特性が前記１次積分特性から高域側の平坦特性に変化する周波数である第２のコーナー周波数を前記ハイパスフィルタのカットオフ周波数とほぼ一致するように設定し、かつ前記ラグリードフィルタの１次積分特性による利得減少の傾きと前記ハイパスフィルタの１次微分特性による利得増加の傾きとをほぼ同じ値とすることで該１次積分特性と１次微分特性とをほぼ相殺する周波数特性となるように設定し、かつ前記ＡＤコンバータのサンプリング周波数を２ｆｍａｘ以上に設定し、かつ前記第１のコーナー周波数における前記ＲＦ信号の周波数成分が、前記ＡＤコンバータの１ＬＳＢ(Least Significant Bit)以上の振幅となるように前記ハイパスフィルタの時定数を設定することで、前記ハイパスフィルタの時定数を低減し、該ハイパスフィルタを集積回路に内蔵可能とした、ことを特徴とするものである。但し、ｆｍａｘ＝（１／Ｔ）×（Ｎ／６）であり、Ｔ＝１／（２９Ｍｂｐｓ）（２９ＭｂｐｓはＤＶＤ−ＲＡＭのチャネルビットレート）、ＮはＤＶＤ−ＲＡＭの再生倍速（Ｎは“１”以上の正数）である。
【発明の効果】
【００３５】
本発明の請求項１に記載の発明によれば、情報記録媒体に形成されたトラックのアドレス領域より再生されたＲＦ信号の直流オフセットと、該トラックのデータ領域より再生されたＲＦ信号の直流オフセットとの差異を解消する回路であって、前記情報記録媒体より再生されたＲＦ信号が入力されるハイパスフィルタと、該ハイパスフィルタの出力が入力されるＡＤコンバータと、該ＡＤコンバータの出力が入力されるラグリードフィルタと、を備える構成としたので、結合コンデンサの切換が不要になり、かつその容量も削減出来るためコンデンサを外付けとすることなくハイパスフィルタを集積回路に内蔵することが出来るとともに、その切換制御のためのタイミング信号が一切不要となることなどにより、大幅なコストダウンを実現することが出来るという効果が得られる。
【００３６】
請求項２に記載の発明によれば、請求項１記載の情報再生装置のインライン回路において、前記情報記録媒体はＤＶＤ−ＲＡＭディスクであり、前記ハイパスフィルタは、該ＤＶＤ−ＲＡＭディスクの再生信号におけるアドレス領域の継続時間に対して十分短い時定数を持つ構成としたので、再生信号のＤＣ成分の抑圧をより効果的に行うことが可能になる。
【００３７】
請求項３に記載の発明によれば、請求項２記載の情報再生装置のインライン回路において、前記ハイパスフィルタの時定数は、前記ＤＶＤ−ＲＡＭディスクの再生信号におけるアドレス領域の継続時間の１０％以下である構成としたので、ＣＬＶ再生時のアクセス動作などに伴って再生線速度が変化してもＤＣ成分の抑圧効果を維持できるという効果が得られる。
【００３８】
請求項４に記載の発明によれば、請求項１記載の情報再生装置のインライン回路において、前記ハイパスフィルタは、抵抗およびコンデンサからなり、該コンデンサは集積回路に内蔵可能な容量値を有する構成としたので、ハイパスフィルタを含めたインライン回路全体を集積回路に搭載することが可能となり、コンデンサの外付けが不要となるため集積回路の端子数の増加によるコストアップを招くことがなく、集積回路への搭載可能な回路数が増加することによるコスト削減が可能になるという効果が得られる。
【００３９】
請求項５に記載の発明によれば、請求項１記載の情報再生装置のインライン回路において、前記ラグリードフィルタは、そのゲインの周波数特性が第１のコーナー周波数において低域側平坦特性から１次積分特性に変化し、第２のコーナー周波数において前記１次積分特性から高域側平坦特性に変化するものであり、該第１のコーナー周波数は、低域復元後の信号の群遅延特性がデータ再生に影響を与えないような周波数であり、該第２のコーナー周波数は、前記ハイパスフィルタのゲインの周波数特性が１次微分特性から平坦特性に変化するカットオフ周波数にほぼ等しい周波数である構成としたので、ＡＤ変換後に低域成分を復活でき、ＲＦ信号の群遅延特性を改善できるという効果が得られる。
【００４０】
請求項６に記載の発明によれば、請求項１記載の情報再生装置のインライン回路において、前記ハイパスフィルタの１次微分特性におけるゲインの周波数特性の傾きの絶対値と、前記ラグリードフィルタの１次積分特性におけるゲインの周波数特性の傾きの絶対値とがほぼ一致する構成としたので、ハイパスフィルタの１次微分特性とラグリードフィルタの１次積分特性とを相殺できるため、ハイパスフィルタのカットオフ周波数を高域側に移動でき、ハイパスフィルタの時定数を小さく抑えることができるという効果が得られる。
【００４１】
請求項７に記載の発明によれば、請求項１記載の情報再生装置のインライン回路において、前記ハイパスフィルタの時定数は、前記ラグリードフィルタのゲインの周波数特性が低域側平坦特性から１次積分特性に変化する周波数である第１のコーナー周波数における前記ＲＦ信号の周波数成分が、前記ＡＤコンバータの１ＬＳＢ(Least Significant Bit)以上の振幅となるように設定される構成としたので、光再生信号のＩＤ領域とデータ領域とのＤＣオフセットを解消した後に、ラグリードフィルタにより、前記のような時定数の設定により残ったＲＦ成分からＤＣ成分を回復することが可能となる効果が得られる。
【００４２】
請求項８に記載の発明によれば、請求項１記載の情報再生装置のインライン回路において、前記光ディスクはＤＶＤ−ＲＡＭディスクであり、前記ハイパスフィルタと、前記ラグリードフィルタの周波数特性は、該ＤＶＤ−ＲＡＭディスクの再生線速度に応じて変更される構成としたので、様々な再生倍速に対しても標準再生速度にて再生を行う場合と同様の効果が得られる。
【００４３】
請求項９に記載の発明によれば、請求項１記載の情報再生装置のインライン回路において、前記光ディスクはＤＶＤ−ＲＡＭディスクであり、前記ＡＤコンバータは、そのサンプリング周波数が２ｆｍａｘ以上に設定される構成としたので、折り返し成分を生じることなく、ハイパスフィルタ通過後の光再生信号をデジタル信号に変換することが可能となる効果がある。
【００４４】
請求項１０に記載の発明によれば、情報記録媒体より再生されたＲＦ信号が入力されるハイパスフィルタと、該ハイパスフィルタの出力が入力されるＡＤコンバータと、該ＡＤコンバータの出力が入力されるラグリードフィルタと、該ラグリードフィルタの出力が入力される復調器と、を備え、該復調器は、前記ラグリードフィルタによって低域成分が復元されたＲＦ信号の、ＤＣレベル変動を検出して、該ＲＦ信号におけるアドレス領域を検出する構成としたので、専用の回路を設けることなくアドレス領域の検出が可能となり、ピックアップのばらつきによらずにアドレス領域検出が安定に行うことができ、大幅なコストダウンを実現することができるという効果が得られる。
【００４５】
請求項１１に記載の発明によれば、請求項１０記載の情報再生装置において、前記ハイパスフィルタ，前記ＡＤコンバータ，前記ラグリードフィルタ，前記復調器は、同一の集積回路に内蔵される構成としたので、大幅なコストダウンを実現することが出来るという効果が得られる。
【００４６】
請求項１２に記載の発明によれば、情報記録媒体に形成されたトラックのアドレス領域より再生されたＲＦ信号の直流オフセットと、該トラックのデータ領域より再生されたＲＦ信号の直流オフセットとの差異を解消するインライン回路の実装方法であって、前記ＲＦ信号をアナログ信号のままでろ波を行うハイパスフィルタの周波数特性が１次微分特性から平坦特性に変化する周波数であるカットオフ周波数を、インライン回路の目標とするカットオフ周波数より高い周波数に設定し、かつ前記ハイパスフィルタの出力信号をＡＤコンバータによりデジタル信号に変換した後の信号に対しろ波を行うラグリードフィルタの周波数特性における１次積分特性により前記ハイパスフィルタの１次微分特性をほぼ相殺し、該ハイパスフィルタとラグリードフィルタとの総合的な特性におけるカットオフ周波数を前記目標とするカットオフ周波数にほぼ一致するように設定することで、前記ハイパスフィルタの時定数を低減し、該ハイパスフィルタを集積回路に内蔵可能としたので、ハイパスフィルタのカットオフ周波数を高域に移動でき、ハイパスフィルタの時定数を小さく抑えることができ、コンデンサを外付けとすることなくハイパスフィルタを集積回路に内蔵できる効果がある。
【００４７】
請求項１３に記載の発明によれば、情報記録媒体に形成されたトラックのアドレス領域より再生されたＲＦ信号の直流オフセットと、該トラックのデータ領域より再生されたＲＦ信号の直流オフセットとの差異を解消するインライン回路の実装方法であって、前記ＲＦ信号をアナログ信号のままでろ波を行うハイパスフィルタの周波数特性が１次微分特性から平坦特性に変化する周波数であるカットオフ周波数を、インライン回路の目標とするカットオフ周波数より高い周波数に設定し、かつ前記ハイパスフィルタの出力信号をＡＤコンバータによりデジタル信号に変換した後の信号に対しろ波を行うラグリードフィルタの周波数特性が低域側の平坦特性から１次積分特性に変化する周波数である第１のコーナー周波数を、前記目標とするカットオフ周波数にほぼ一致するように設定し、かつ前記ラグリードフィルタの周波数特性が前記１次積分特性から高域側の平坦特性に変化する周波数である第２のコーナー周波数を前記ハイパスフィルタのカットオフ周波数とほぼ一致するように設定し、かつ前記ラグリードフィルタの１次積分特性による利得減少の傾きと前記ハイパスフィルタの１次微分特性による利得増加の傾きとをほぼ同じ値とすることで該１次積分特性と１次微分特性とをほぼ相殺する周波数特性となるように設定し、かつ前記ＡＤコンバータのサンプリング周波数を２ｆｍａｘ以上に設定し、かつ前記第１のコーナー周波数における前記ＲＦ信号の周波数成分が、前記ＡＤコンバータの１ＬＳＢ(Least Significant Bit)以上の振幅となるように前記ハイパスフィルタの時定数を設定することで、前記ハイパスフィルタの時定数を低減し、該ハイパスフィルタを集積回路に内蔵可能としたので、ハイパスフィルタのカットオフ周波数を高域に移動でき、ハイパスフィルタの時定数を小さく抑えることができ、コンデンサを外付けとすることなくハイパスフィルタを集積回路に内蔵できるとともに、折り返し成分を生じることなく、ハイパスフィルタ通過後の光再生信号をデジタル信号に変換することが可能となり、ラグリードフィルタにより、前記のような時定数の設定により残ったＲＦ成分からＤＣ成分を回復することが可能となる効果がある。
【発明を実施するための最良の形態】
【００４８】
以下、本発明の実施の形態について、図１ないし図７を用いて説明する。
（実施の形態１）
図１は本発明の実施の形態１による光ディスク再生装置のブロック図を示し、特にそのインライン回路について重点的に示している。図１（ａ）において、１は図８の光ピックアップ３００の全ての光検出器Ａ，Ｂ，Ｃ，Ｄの出力信号の和信号である光再生信号（ＲＦ信号）を増幅する入力アンプ、２は入力アンプ１の後段に設けられた結合コンデンサ、３はコンデンサ２とともにハイパスフィルタ１０を構成する抵抗、４はハイパスフィルタ１０の出力信号を増幅するバッファアンプ、５はバッファアンプ４の出力信号をＡＤ変換するＡＤコンバータ、６はＡＤコンバータ５の出力信号にラグリード特性を与えるラグリードフィルタ、７はラグリードフィルタ６の出力信号に対し２値化による復調を行う復調器であり、その出力が図８に示す信号処理回路５００により処理される。そして、入力アンプ１の後段から復調器７の前段までの回路要素、即ち、ハイパスフィルタ１０，バッファアンプ４，ＡＤコンバータ５，ラグリードフィルタ６により、インライン回路４００が構成されている。
【００４９】
また、図１（ｂ）に示すように、コンデンサ２または抵抗３の少なくとも一方を可変容量または可変抵抗とし、システムコントローラ６００により容量値または抵抗値の少なくとも一方を制御することによりハイパスフィルタ１０の周波数特性を設定可能とするとともに、ラグリードフィルタ６の周波数特性についても設定可能としてもよい。
【００５０】
図１（ｃ）は図１（ｂ）のコンデンサＣ１および抵抗Ｒ１の構成例を示し、互いに並列接続された３つのコンデンサＣ１ａ，Ｃ１ｂ，Ｃ１ｃの一端と入力アンプ１の出力ノードとの間にスイッチＳＣａ，ＳＣｂ，ＳＣｃを介挿するとともに、互いに並列接続された３つの抵抗Ｒ１ａ，Ｒ１ｂ，Ｒ１ｃの一端とＶｒｅｆノードとの間にスイッチＳＲａ，ＳＲｂ，ＳＲｃを介挿し、スイッチＳＣａ，ＳＣｂ，ＳＣｃおよびスイッチＳＲａ，ＳＲｂ，ＳＲｃをシステムコントローラ６００によりオン，オフ制御を行うように構成されている。
【００５１】
図２は、ハイパスフィルタ１０およびラグリードフィルタ６の周波数特性、および、これらをトータルした特性としての目標特性を示したものである。
【００５２】
図２において、ａはハイパスフィルタ１０の特性の一例を示し、１０ＫＨｚ以下で１次微分特性ａ１、１０ＫＨｚ以上では平坦特性（比例特性）となっている。また、ｂはラグリードフィルタ６の特性の一例を示し、ハイパスフィルタ１０のカットオフ周波数１０ＫＨｚ以下の領域で１次積分特性ｂ１を示し、１００Ｈｚ以下は低域側平坦特性（比例特性）ｂ２、１０ＫＨｚ以上では高域側平坦特性（比例特性）ｂ３となっている。これらハイパスフィルタ１０とラグリードフィルタ６とを通過した信号は１次微分特性ａ１と１次積分特性ｂ１とが相殺して平坦特性が低域側に伸張し、ｃに示す目標特性の周波数特性となる。この目標特性ｃの周波数特性はカットオフ周波数１００Ｈｚのハイパスフィルタと等価であり、ＲＦ信号成分の群遅延特性に影響を与えることはない。
【００５３】
これを可能とするために、インライン回路４００の実装方法は次のようになる。すなわち、図２に示すように、ラグリードフィルタ６の第２のコーナー周波数ｆｃ２とハイパスフィルタ１０のカットオフ周波数とをともに１０ＫＨｚに設定し、ラグリードフィルタ６の１次積分特性ｂ１のゲインの周波数特性の負の傾きの値とハイパスフィルタ１０の１次微分特性ａ１のゲインの周波数特性の正の傾きの値とを一致させるように設定することで、１次積分特性ｂ１と１次微分特性ａ１とを相殺させ、目標特性、すなわちハイパスフィルタ１０とラグリードフィルタ６とを総合した周波数特性を１０ＫＨｚ以下で平坦な比例特性にするとともに、ラグリードフィルタ６の第１のコーナー周波数ｆｃ１を１００Ｈｚに設定し、１００Ｈｚ以下では平坦な特性ｂ２とすることで、目標特性が１００Ｈｚ以下で１次微分特性となるようにしている。なお、第１のコーナー周波数ｆｃ１の値である１００Ｈｚは、低域復元後の信号の群遅延特性がデータ再生に影響を与えない周波数である。
【００５４】
以下では、このインライン回路４００およびその実装方法に関してより詳細に説明する。
図３は図１の光ディスク再生装置の各部の信号波形を示したもので、図３（ａ）は入力アンプ１に入力される再生信号で、図３においてＤＣレベルが高くなった部分がＩＤ領域（アドレス領域）、その他がデータ領域である。図３（ｂ）はハイパスフィルタ１０を通過した後の信号、図３（ｃ）はラグリードフィルタ６を通過して低域成分が復活した信号、図３（ｄ）はＩＤ検出信号である。
【００５５】
さて、ＤＶＤ−ＲＡＭ再生時には従来例の図１０（ａ）と同様の再生信号（図３（ａ）参照）が入力されてくる。
【００５６】
この再生信号は図１（ａ）の入力アンプ１で増幅され、ハイパスフィルタ１０で低域が抑圧されることによりＩＤ領域におけるＤＣオフセットが解消され、バッファアンプ４で増幅された後、ＡＤコンバータ５で多ビットのデジタル信号に変換され、ラグリードフィルタ６により、ハイパスフィルタ１０で抑圧された低域成分が復活され、復調器７で多ビットのデジタル信号が２値化され、その後段で本来の信号処理が行われて、ＤＶＤ−ＲＡＭに記録されている情報が再生される。
【００５７】
ハイパスフィルタ１０とラグリードフィルタ６とは、トータルでハイパスフィルタ特性を実現しており、光再生信号中のＤＣ成分をＲＦ信号の群遅延特性に影響を与えることなく除去する。
【００５８】
このトータルでのハイパスフィルタ特性のカットオフ周波数を決定するのがラグリードフィルタ６の第１のコーナー周波数ｆｃ１であり、この第１のコーナー周波数ｆｃ１より高域におけるハイパスフィルタ１０の１次微分特性ａ１を、第１のコーナー周波数ｆｃ１より高域におけるラグリードフィルタ６の１次積分特性ｂ１により相殺してフラットな比例特性とする。これを可能とするために、前述のように、ハイパスフィルタ１０のカットオフ周波数とラグリードフィルタ６の第２のコーナー周波数ｆｃ２とを一致させるとともに、１次積分特性ｂ１の負の傾きの値と１次微分特性ａ１の正の傾きの値とを一致させている。
【００５９】
本実施の形態１においては、単純なハイパスフィルタ１０によってＩＤ領域再生に伴うＤＣレベル変動を除去して図３（ｂ）の波形を得ることで、光再生信号のダイナミックレンジをＡＤコンバータ５の入力レンジ内に収まるように圧縮する。これにより、データ領域およびＩＤ領域のいずれの領域に関してもＡＤ変換を可能としている。
【００６０】
このためにはハイパスフィルタ１０のカットオフ周波数の設定が重要であるが、チャネルビットレートが２９Ｍｂｐｓの再生速度におけるＩＤ領域の持続時間は約７５μｓｅｃであり、ハイパスフィルタの時定数はこれに対して十分小さな値に設定する必要がある。例えば、図２のａで示されるようにカットオフ周波数を１０ＫＨｚとした場合、時定数は１６μｓｅｃとなり、これは上記ＩＤ領域の持続時間の１／５となるので、ＤＣ成分の抑圧には十分であると考えられる。
【００６１】
また、再生倍速（標準再生速度のＮ倍）が高くなった場合には、ＩＤ領域の持続時間も短くなるので、ハイパスフィルタ１０のカットオフ周波数をより高域側にシフトする必要がある。また、これに伴って、ラグリードフィルタ６の第２のコーナー周波数をより高域側にシフトする必要がある。これらのシフトは、例えば図１（ｂ）に示したように、システムコントローラ６００からの制御信号をハイパスフィルタ１０およびラグリードフィルタ６に与えることで実現できる。
【００６２】
また、ＣＬＶ再生時のアクセス動作などに伴う再生線速の変動に対してＤＣ成分の抑圧を可能とするためには、ハイパスフィルタ１０の時定数を、ＤＶＤ−ＲＡＭの再生信号におけるＩＤ領域の継続時間よりも十分短く、例えばその１０％以下に設定する必要がある。
【００６３】
しかしながら、ＤＣ成分を抑圧したままでは、再生信号に対しハイパスフィルタ１０による位相回りの影響が及び、群遅延特性が悪化するので、ＡＤ変換後に、ラグリードフィルタ６によって低域成分の復活を行うことにより、群遅延特性の悪化を抑えることが出来、図３（ｃ）に示す信号を得ることが出来る。
【００６４】
即ち、図２のラグリード特性ｂに示すように、１００Ｈｚ（第１のコーナー周波数ｆｃ１）と１０ＫＨｚ（第２のコーナー周波数ｆｃ２）とにカットオフ周波数を持つラグリードフィルタ６によって、低周波数領域での利得を増加させることで、ハイパスフィルタ１０とラグリードフィルタ６とを通過した信号は、図２のｃに示すような１００Ｈｚのカットオフ周波数を持ったハイパスフィルタを通過したのと等価になる。
【００６５】
このような、カットオフ周波数が１００Ｈｚのハイパスフィルタであれば、ＲＦ帯域への位相回りの影響は十分低いレベルに収めることが出来る。
【００６６】
また、上述のように、ラグリードフィルタ６とハイパスフィルタ１０とを使用することで、従来例と同様のカットオフ周波数１００Ｈｚの高域通過特性を実現しているが、ラグリードフィルタ６で低域成分の利得を補償するため、ハイパスフィルタ１０のカットオフ周波数を１０ＫＨｚと高く設定でき、これにより、ハイパスフィルタ１０の時定数を小さく抑えることができる。
【００６７】
このため、ハイパスフィルタ１０を構成するコンデンサ２の容量を抑えることができ、これにより、コンデンサ２を外付けにすることなくインライン回路４００全体をＬＳＩに内蔵することが可能となる。
【００６８】
ここで、ハイパスフィルタ１０によって除去された低域成分を、ＡＤ変換後に実際に復活出来るかどうかについて検討する。
【００６９】
ハイパスフィルタ１０の周波数特性が単一周波数に対するものであれば、図２に示すように、１００Ｈｚの信号は１０ＫＨｚの信号の１／１００となるので、ＡＤコンバータ５が例えば６ビット分解能を持つ場合は、その分解能である１／６４以下になってしまい、完全にゼロになってしまうので、ラグリードフィルタ６による低域の回復は不可能である。しかしながら、光ディスクの再生信号の場合には、図４に示すように、ＲＦ成分が存在しており、そのレベルがＡＤコンバータの分解能を超えるように設定しておけば、これがディザーとして有効に働き、１００Ｈｚ以下の低域成分もサンプリングデータ間に分散した情報として残留する。ラグリードフィルタ６は分散した情報に対し積分器として働き、これらの情報を復活して、低域成分の復元が可能となる。
【００７０】
この低域成分の復元を実現可能とするためには、第１のコーナー周波数ｆｃ１（＝１００Ｈｚ）におけるＲＦ信号の周波数成分がＡＤコンバータ５の１ＬＳＢ以上の振幅となるように、ハイパスフィルタ１０の時定数を設定する必要がある。
【００７１】
即ち、ハイパスフィルタ１０のカットオフ周波数を高く設定し過ぎると、低域での減衰が大きくなるので、この点に注意して設定する必要がある。
【００７２】
さらに、ＡＤコンバータ５のサンプリング周波数の設定も重要であり、これを２ｆｍａｘ以上に設定する必要がある。
このようにサンプリング周波数を２ｆｍａｘ以上に設定することで、ハイパスフィルタ１０によりＤＣ変動成分を除去した後の光再生信号をＡＤ変換する際、折り返し成分を生じるのを防止することが可能となる。
ここで、
ｆｍａｘ＝（１／Ｔ）×（Ｎ／６）  ・・・（１）
であり、
Ｔ＝１／（２９Ｍｂｐｓ）（２９ＭｂｐｓはＤＶＤ−ＲＡＭのチャネルビットレート）、
ＮはＤＶＤ−ＲＡＭの再生倍速（Ｎは“１”以上の正数）
（１）式における“６”は図５に示すように、ＤＶＤ−ＲＡＭに記録される“１”，“０”がそれぞれ３個以上連続することに由来する。
【００７３】
また、ラグリードフィルタ６はローパスフィルタとハイパスフィルタとを組み合わせたもので、図６に原理的な構成を示すように、乗算器６ａ，６ｂ、加算器６ｃ，６ｄ、遅延器６ｅにより、完全にデジタルフィルタとして構成可能であるので、１００Ｈｚのカットオフ周波数の実現も容易に可能となり、かつ、ローコストで構成可能である。
【００７４】
さて、次にデータ再生について述べる。
従来例においては、ＡＤ変換される信号はＤＣレベル変動を除去してしまった信号であるために、全く別の系統の回路によってＩＤ領域の検出を行う必要があったが、再生信号のＤＣレベルが図３（ｃ）のように復活出来ることにより、図３（ｃ）に示すＩＤ検出レベルを設定して、ＤＣレベル変動を検出することが出来る。
【００７５】
このＩＤ検出レベルは図３（ｃ）の波形のデータ領域における上側エンベロープとＩＤ領域における上側エンベロープの値の中間値を実験的に求めて使用すればよく、特に、ＩＤ領域における上側エンベロープの値はほぼ既知であるので、これより一定値低いレベルをＩＤ検出レベルとして使用すればよい。
【００７６】
図３（ｄ）はＩＤ検出結果を示しており、例えば、この信号に従って、２値化スライスレベルを切換えることにより、データ領域およびＩＤ領域の両者における再生信号を２値化し、データを得ることが出来る。
【００７７】
図７は以上に述べたデータ再生動作を可能にする本発明の実施の形態１による光ディスク再生装置のブロック図を示し、図７において、図１と同一符号は同一または相当のものを示す。７ａは図１における復調器７と同様の機能を有する復調器本体、８はラグリードフィルタ６の出力信号と閾値とを比較する比較器、９はこの閾値を発生する閾値発生器、７はこれら復調器本体７ａ，比較器８および閾値発生器９からなる復調器である。この閾値発生器９は上述のように実験的に求めた閾値が設定される。
【００７８】
図７においては、比較器８によりラグリードフィルタ６の出力信号と閾値とを比較するようにしている。ラグリードフィルタ６により低域成分が復元されたＲＦ信号は図３（ｃ）に示すようになり、同図３（ｃ）にＩＤ検出レベルとして示すレベルに閾値を設定することにより、図３（ｄ）に示すように、ＩＤ領域に対応する期間で“Ｈ”レベルとなるＩＤ領域検出信号を得ることができる。
【００７９】
このＩＤ領域検出信号は、従来例の図９に示すような大規模な専用回路を必要とすることなく生成することができ、また、入力アンプに入力するのは光ピックアップ３００の全ての光検出器Ａ，Ｂ，Ｃ，Ｄの出力信号の和信号であり、光検出器のプッシュプル信号はこれを用いていないので、プッシュプル信号を用いる場合のように、光ピックアップのばらつきやトラッキングサーボに影響されることなく、ＩＤ領域を検出することが可能となる。
【００８０】
即ち、ＩＤ領域の検出において、光検出器のプッシュプル信号を用いる場合は、ピックアップの光軸のずれ、受光素子の位置ずれなどにより、ＩＤ領域における差動信号のオフセット量が、上側と下側とで大幅に非対称となる場合があり、その場合にいずれか一方のＩＤ領域検出ができないため、上記インライン処理に不具合を生じる場合があるが、和信号を用いる本実施の形態１では、ＩＤ領域におけるＲＦ信号の上側エンベロープのレベルは、ＩＤ領域中のミラー部、即ち、エンボスマーク１０１のない部分、からの反射レベルであるため、こうしたピックアップの構成部品の機械的な取り付け精度に由来してＩＤ領域検出ができなくなるためにインライン処理に不具合が生じる問題、を解消することが可能となる。
【００８１】
なお、この光ディスク再生装置においても、ＤＶＤ−ＲＡＭディスクが倍速再生を行う場合は、その再生倍速に応じてハイパスフィルタ１０およびラグリードフィルタ６の特性を変化させる必要がある。これは、上述のインライン回路と同様、システムコントローラ６００の制御により、ハイパスフィルタ１０の時定数やラグリードフィルタ６の乗算係数等を変化させることで対応可能である。
【００８２】
また、ラグリードフィルタ６の第２のコーナー周波数ｆｃ２（＝１０ＫＨｚ）と、１次微分特性を示すハイパスフィルタ１０のカットオフ周波数とを一致させるようにしたが、これらは完全に一致していなくてもよく、例えば１０％以下の誤差なら許容できる。
【００８３】
さらに、ラグリードフィルタ６の１次積分特性とハイパスフィルタ１０の１次微分特性とを相殺させるようにしたが、これは完全に相殺できなくてもよく、ラグリードフィルタ６とハイパスフィルタ１０のトータルの特性に若干１次積分特性，１次微分特性あるいはその両方が残ってもよく、比例特性に対し例えば１０％以下の残留量なら許容できる。
【００８４】
また、ハイパスフィルタ１０を構成するコンデンサ２を外付けにすることなくＬＳＩに搭載できるものとして説明したが、このＬＳＩにはインライン回路４００全体のほか、復調回路７、さらにはその後段の信号処理回路も搭載してもよい。
【００８５】
さらに、図１（ｂ）にはコンデンサ２および抵抗３が可変のものを示したが、コンデンサ２および抵抗３のいずれか一方が可変であってもよく、これらの構成は図１（ｃ）に限るものではない。
また、ＤＶＤ−ＲＡＭディスクの倍速再生を行わない場合はこれらを固定のものとしてもよい。
【００８６】
また、復調器７の閾値発生器９は実験的に求めた閾値を予め設定するようにしたが、図３（ｃ）の波形からリアルタイムで閾値を決定する回路を設けることでこれを設定することも可能である。
【００８７】
さらに、情報再生装置としてＤＶＤ−ＲＡＭディスク対応の光ディスク再生装置に適用した場合について示したが、ＤＶＤ−ＲＡＭディスクの再生機能を含むものであれば、ＤＶＤ−ＲＡＭディスク以外の光ディスクの再生にも対応した光ディスク再生装置や光ディスク記録再生装置であっても適用可能である。
【００８８】
このように、本実施の形態１によれば、光ディスクより再生されたＲＦ信号が入力される入力アンプと、前記入力アンプの出力が入力されるハイパスフィルタと、前記ハイパスフィルタの出力が入力されるＡＤコンバータと、前記ＡＤコンバータの出力が入力されるラグリードフィルタと、前記ラグリードフィルタの出力をデジタル的に処理して２値化信号として復調する復調器とを備える構成としたので、結合コンデンサの切換が不要になり、なおかつその容量も削減出来るため、ＬＳＩに内蔵することが出来ること、また、結合コンデンサの切換制御のためのタイミング信号が一切不要となることなどにより、大幅なコストダウンを実現出来るという効果が得られる。
【００８９】
また、光ディスクより再生されたＲＦ信号が入力されるハイパスフィルタと、前記ハイパスフィルタの出力が入力されるＡＤコンバータと、前記ＡＤコンバータの出力が入力されるラグリードフィルタと、その出力が入力される復調器とを備え、前記復調器は、前記ラグリードフィルタによって低域成分が復元されたＲＦ信号の、ＤＣレベル変動を検出することでＩＤ領域を検出するよう構成したので、ＩＤ領域を検出することが可能となり、専用の回路を設けることによるコストアップを抑えることが可能となる。また、ピックアップの光検出器のプッシュプル信号を用いることなくＩＤ領域を検出することが可能となり、ピックアップのばらつきによらずにＩＤ領域検出が安定に行えるという効果が得られる。
【産業上の利用可能性】
【００９０】
以上のように、本発明によれば、より安定なＤＶＤ−ＲＡＭ再生機能を低コストで実現する光ディスク再生装置を得られ、かかる光ディスク再生装置に用いて好適である。
【図面の簡単な説明】
【００９１】
【図１（ａ）】本発明の実施の形態１による光ディスク再生装置を示すブロック図
【図１（ｂ）】本発明の実施の形態１による光ディスク再生装置の他の構成例を示すブロック図
【図１（ｃ）】図１（ｂ）のハイパスフィルタを構成する抵抗およびキャパシタの抵抗値および容量値を可変とする構成を示す回路図
【図２】フィルタ周波数特性のボード線図
【図３（ａ）】図１の動作を示す信号波形図であり、入力アンプに入力される再生信号を示す図
【図３（ｂ）】図１の動作を示す信号波形図であり、ハイパスフィルタを通過した後の信号を示す図
【図３（ｃ）】図１の動作を示す信号波形図であり、ラグリードフィルタを通過して低域成分を復活した信号を示す図
【図３（ｄ）】図１の動作を示す信号波形図であり、ＩＤ検出信号を示す図
【図４】ＲＦ成分が重畳した光再生信号の信号波形図
【図５】ラグリードフィルタを通過した後に低域成分を復活するために必要なＡＤコンバータのサンプリングレートの算出式の導出原理を示す図
【図６】ラグリードフィルタの原理的な構成を示す図
【図７】本発明の実施の形態１による光ディスク再生装置の復調器の構成例を示すブロック図
【図８】従来の光ディスク再生装置の全体構成を示すブロック図
【図９】従来の光ディスク再生装置のインライン回路の構成を示す回路図
【図１０（ａ）】従来の光ディスク再生装置のインライン回路の信号波形図であり、入力アンプの入力信号を示す図
【図１０（ｂ）】従来の光ディスク再生装置のインライン回路の信号波形図であり、ＩＤ領域判別信号を示す図
【図１０（ｃ）】従来の光ディスク再生装置のインライン回路の信号波形図であり、引込信号を示す図
【図１０（ｄ）】従来の光ディスク再生装置のインライン回路の信号波形図であり、ＡＤコンバータの入力信号を示す図
【図１１】ＤＶＤ−ＲＡＭディスクのＩＤ部分の構造を示す図
【図１２】従来のＩＤ領域判別信号生成回路の構成を示す図
【図１３（ａ）】従来のＩＤ領域判別信号生成回路の差動ＲＦ信号とその２つの閾値とを示す信号波形図
【図１３（ｂ）】従来のＩＤ領域判別信号生成回路のＩＤ領域における差動ＲＦ信号のオフセットを検出した状態を示す信号波形図
【図１３（ｃ）】従来のＩＤ領域判別信号生成回路のＩＤ領域における差動ＲＦ信号のオフセットを検出した状態を示す信号波形図
【図１３（ｄ）】従来のＩＤ領域判別信号生成回路により検出されたＩＤ領域判別信号を示す信号波形図
【符号の説明】
【００９２】
１    入力アンプ
２    結合コンデンサ
３    抵抗
４    バッファアンプ
５    ＡＤコンバータ
６    ラグリードフィルタ
７    復調器
７ａ  復調器本体
８    比較器
９    閾値発生器
１０  ハイパスフィルタ
４００  インライン回路
６００  システムコントローラ
ｆｃ１  第１のコーナー周波数
ｆｃ２  第２のコーナー周波数
ｆ  目標特性のカットオフ周波数
【図１（ａ）】
2005158241.tif 000003
【図１（ｂ）】
2005158241.tif 000004
【図１（ｃ）】
2005158241.tif 000005
【図２】
2005158241.tif 000006
【図３（ａ）】
2005158241.tif 000007
【図３（ｂ）】
2005158241.tif 000008
【図３（ｃ）】
2005158241.tif 000009
【図３（ｄ）】
2005158241.tif 000010
【図４】
2005158241.tif 000011
【図５】
2005158241.tif 000012
【図６】
2005158241.tif 000013
【図７】
2005158241.tif 000014
【図８】
2005158241.tif 000015
【図９】
2005158241.tif 000016
【図１０（ａ）】
2005158241.tif 000017
【図１０（ｂ）】
2005158241.tif 000018
【図１０（ｃ）】
2005158241.tif 000019
【図１０（ｄ）】
2005158241.tif 000020
【図１１】
2005158241.tif 000021
【図１２】
2005158241.tif 000022
【図１３（ａ）】
2005158241.tif 000023
【図１３（ｂ）】
2005158241.tif 000024
【図１３（ｃ）】
2005158241.tif 000025
【図１３（ｄ）】
2005158241.tif 000026